(57)【要約】【課題】  コネクタと基板ケースとの間から針金を侵入させる等の制御回路基板に対する不正なアクセスを確実に防止する等の遊技機用制御回路基板におけるコネクタ接続構造を提供する。【解決手段】  スロットマシンの主制御基板（１００）実装された基板側コネクタ（１１０）に対し、ケース（３００）に形成された開口部（３１０）を通してハーネス側コネクタ（４１０）を接続するコネクタ接続構造であって、閉塞部材（５００）は、ケーブル（４２０）を挿通させて開口部を嵌め殺し状態で閉塞する。これにより、開口部から針金等を侵入させる等の不正行為を確実に防止する。【選択図】  図５
2006158850.tif 000002
【特許請求の範囲】
【請求項１】
遊技機用の制御回路基板に実装された基板側コネクタに対し、当該制御回路基板を収容する基板ケースに形成されたコネクタ開口を通してハーネス側コネクタを接続するコネクタ接続構造であって、
前記コネクタ開口を閉塞し得る平板部を有するとともに、該平板部に前記ハーネス側コネクタに連結されたケーブルを挿通し得る挿通孔が形成された閉塞部材を備え、
前記閉塞部材は、前記ケーブルを前記挿通孔に挿通させて前記コネクタ開口を嵌め殺し状態で閉塞することを特徴とするコネクタ接続構造。
【請求項２】
前記閉塞部材には、その平板部の前記コネクタ開口を臨む側に、前記コネクタ開口の少なくとも一の方向における開口幅で離間する一対の係止部が形成され、
該一対の係止部は、前記平板部に沿う内方に弾性偏移可能であり、それぞれ相反する外方へ突起する鉤爪形状を有し、
当該各係止部を前記コネクタ開口に押圧挿入して前記鉤爪部分を当該コネクタ開口周縁の内面に係止させることにより、当該コネクタ開口を嵌め殺し状態で閉塞することを特徴とする請求項１に記載のコネクタ接続構造。
【発明の詳細な説明】
【技術分野】
【０００１】
本発明は、パチンコ、スロットマシン等の遊技機に備えられる制御回路基板において、他の制御回路基板または内蔵機器とハーネスを介して相互に接続する際のコネクタ接続構造に関する。
【背景技術】
【０００２】
従来、スロットマシン、パチンコ等の遊技機においては、ＭＰＵ、ＲＯＭ、ＲＡＭ等の電子部品を実装しマイコンをベースに形成される制御回路基板により、遊技機の遊技状態を制御、管理する制御方式が採用されている。
【０００３】
例えば、スロットマシンであれば、主制御基板と呼ばれる制御回路基板が筐体内に設けられ、遊技者のスタート、ストップ操作を監視してリールの回転動作を制御したり、入賞役が成立した際に所定枚数のメダルを払い出したりするように遊技機の主要な動作を制御している。また、主制御基板は、入賞役の抽選や、大当たり（ボーナス）に応じてゲーム毎に入賞確率を変更したり、より多くのメダルを獲得する機会を与えるべく遊技者に操作をアシストしたりするなどの動作制御も司っている。
【０００４】
ところで、スロットマシン、パチンコ等の射幸性をもつ遊技機においては、以前から「ゴト行為」と呼ばれる不正行為が問題となっている。特に主制御基板は、上述したように遊技機の中枢的な役割を担っているため、その制御プログラムが格納される読み出し専用メモリ（ＲＯＭ）を不正に改造した別のＲＯＭに差し替えたり、針金などで制御回路をショートさせ誤作動を引き起こしたりする等、不正行為に最も狙われる対象であった。
【０００５】
そこで、かかる不正行為から制御回路を保護するために、遊技機の主制御基板等の制御回路基板は、例えば透明な樹脂材料から形成される基板ケースに収容されて筐体内に設置されている。一般に、遊技機用の制御回路基板を収容する基板ケースは、相対向する一対の本体ケースと上蓋ケースとからなり、仮に何れかのケースが開放されたとしてもその痕跡が残るよう、両ケースをカシメ状態で結合する封止構造が複数カ所に設けられている（例えば、特許文献１参照）。
【０００６】
また、制御回路基板を他の制御回路基板または電子機器ユニットとハーネスを介して電気的に接続するために、基板ケースには、ハーネス側コネクタを挿通し基板側コネクタに接続するための開口部が形成される。この場合、コネクタとこの開口部との隙間を無くそうとしても、現実には種々の製造上生じる誤差を考慮してクリアランスを取らざるを得ないため、当該隙間から針金などを侵入させ、基板に形成されている制御回路を誤作動させる等の不正なアクセスが行われるおそれがあった。
【０００７】
このような不正なアクセスに対処するため、コネクタ実装領域の配線パターンを被覆し、また当該コネクタ実装領域と基板ケース内方の電子部品実装領域とを仕切る仕切り部材を設けた対策が提案されている（例えば、特許文献２参照）。
【０００８】
【特許文献１】特開２００４−２０９２３８号公報
【特許文献２】特開２００３−２６５８１５号公報
【発明の開示】
【発明が解決しようとする課題】
【０００９】
しかし、特許文献２等に開示されている従来の基板ケースでは、例えば、ケースとコネクタと間に工具等を挿入し当該ケースを撓ませてこじ開けることにより、上述の仕切り部材とケース裏面との間に隙間を生じさせ、内部の制御回路基板に対し痕跡を残さずに不正なアクセスが行われる場合がある。このため、かかる不正行為を確実に防止できるものではなかった。
【００１０】
本発明は、こうした従来の問題に鑑みてなされたものであり、コネクタと基板ケースとの間から針金を侵入させる等の制御回路基板に対する不正なアクセスを確実に防止する等の遊技機用制御回路基板におけるコネクタ接続構造を提供することを目的としている。
【課題を解決するための手段】
【００１１】
上述した課題を解決するため、請求項１に記載の発明は、遊技機用の制御回路基板に実装された基板側コネクタに対し、当該制御回路基板を収容する基板ケースに形成されたコネクタ開口を通してハーネス側コネクタを接続するコネクタ接続構造であって、前記コネクタ開口を閉塞し得る平板部を有するとともに、該平板部に前記ハーネス側コネクタに連結されたケーブルを挿通し得る挿通孔が形成された閉塞部材を備え、前記閉塞部材は、前記ケーブルを前記挿通孔に挿通させて前記コネクタ開口を嵌め殺し状態で閉塞することを特徴とする。
【００１２】
請求項２に記載の発明は、請求項１に記載のコネクタ接続構造であって、前記閉塞部材には、その平板部の前記コネクタ開口を臨む側に、前記コネクタ開口の少なくとも一の方向における開口幅で離間する一対の係止部が形成され、該一対の係止部は、前記平板部に沿う内方に弾性偏移可能であり、それぞれ相反する外方へ突起する鉤爪形状を有し、当該各係止部を前記コネクタ開口に押圧挿入して前記鉤爪部分を当該コネクタ開口周縁の内面に係止させることにより、当該コネクタ開口を嵌め殺し状態で閉塞することを特徴とする。
【００１３】
請求項１に記載のコネクタ接続構造によれば、閉塞部材は、ハーネスケーブルを挿通孔に挿通させた状態でコネクタ開口を閉塞するので、基板ケースとコネクタ開口との隙間を無くすことができる。また、閉塞部材は、コネクタ開口を嵌め殺し状態で閉塞するため、外部から閉塞部材を開放することができない。これらのことから、基板ケースとコネクタ開口との隙間を介して針金などを基板ケース内に侵入させる等の不正なアクセスを確実に防止する。また、かかる不正アクセス防止機能を、簡素化した構造で実現することができる。
【００１４】
請求項２に記載のコネクタ接続構造によれば、閉塞部材の各係止部をコネクタ開口に押圧挿入し、鉤爪部分を当該コネクタ開口周縁の内面に係止させることで、当該コネクタ開口を嵌め殺し状態で閉塞する。これにより、外部から閉塞部材を開放することができなくなり、基板ケースとコネクタ開口との隙間から針金などを基板ケース内に侵入させる等の不正なアクセスを確実に防止する。
【発明の効果】
【００１５】
上述したように、本発明のコネクタ接続構造によれば、ハーネスケーブルを挿通させた状態でコネクタ開口を閉塞する閉塞部材を設けたので、基板ケースとコネクタ開口との隙間を無くすことができる。また、閉塞部材は、コネクタ開口を嵌め殺し状態で閉塞するため、外部から閉塞部材を開放することができない。これらのことから、基板ケースとコネクタ開口との隙間から針金などを基板ケース内に侵入させる等の不正なアクセスを確実に防止する。また、かかる不正アクセス防止機能を、簡素化した構造で実現することができる。
【発明を実施するための最良の形態】
【００１６】
以下、本発明の好適な実施形態を図面を参照しながら説明する。まず、本発明のコネクタ接続構造が適用される遊技機として、スロットマシンを例に、その概略構成を説明する。図１は、スロットマシンＳＭの外観構造を表す正面図である。スロットマシンＳＭは、いわゆるフロントマスクを形成する前扉ＦＤが略矩形状の箱体である筐体の開口側に対し開閉可能に取り付けられている。前扉ＦＤは、上部パネル部ＵＰと下部パネル部ＬＰに概ね区分けされ、これらは視覚効果を高めてデザインされ、硬質プラスチックにより一体的に形成されている。また、前扉ＦＤの下部には、メダルを貯留するための受皿部が形成された受皿ユニットＴＵが設けられている。
【００１７】
上部パネル部ＵＰの周縁部分には、高輝度発光ダイオードを内蔵する上部ランプＵＬ及びサイドランプＳＬ、ＳＬが配置されている。また、スピーカを内蔵し遊技に係る効果音を発生させる演出用放音部ＳＡＬ、ＳＡＲが上部パネル部ＵＰの左右にそれぞれ配置されている。更に、演出用放音部ＳＡＬ、ＳＡＲの間には、液晶表示ユニットＦＰＤが配置されている。なお、液晶表示ユニットＦＰＤは、遊技の演出に係る映像を主に表示する。
【００１８】
上部パネル部ＵＰの中央にはパネルユニットＰＵが取り付けられ、その中央に略長方形の透明な表示窓ＦＷが形成されている。そして、表示窓ＦＷを通して筐体内に設けられている円筒形状のリールＲ１、Ｒ２、Ｒ３が目視される。リールＲ１、Ｒ２、Ｒ３は、それぞれの回転軸に沿って横方向に配置され、これによりリールユニットＲＵが形成されている。また、各リールＲ１、Ｒ２、Ｒ３の外周面には複数種類の図柄がほぼ等間隔で配置され、リールの外周面に表示する縦３個、横３列の図柄が表示窓ＦＷを通して目視される。
【００１９】
上部パネル部ＵＰと下部パネル部ＬＰとの間には、遊技操作を行うためのスイッチ類が配置された操作卓ＯＰが一体的に形成されている。操作卓ＯＰには、メダルを投入するための投入口を有するメダル投入部ＭＤと、ベットボタンＢＥＴと、スタートレバーＳＴＬと、ストップボタンＳＴＰ１、ＳＴＰ２、ＳＴＰ３がそれぞれ配設されている。
【００２０】
ベットボタンＢＥＴは、スロットマシンＳＭの１ゲームに賭けるメダルの枚数を提示するためのボタンスイッチである。スロットマシンＳＭは、何れかのベットボタンＢＥＴが押圧操作されることにより当該ゲームにメダルが賭けられ、スタートレバーＳＴＬが傾倒操作されると、リールＲ１、Ｒ２、Ｒ３を一斉に回転させる。このときスロットマシンＳＭは、入賞の抽選を内部的な処理（内部抽選）で行う。そして、各ストップボタンＳＴＰ１、ＳＴＰ２、ＳＴＰ３が押圧操作されることで、対応するリールＲ１、Ｒ２、Ｒ３をそれぞれ停止させる。全てのリールが停止し、表示窓ＦＷに設定される有効ライン上に表示した図柄の組合せが、上述の内部抽選に当選した入賞に係る組合せと一致した場合、当該入賞が確定する。
【００２１】
下部パネル部ＬＰには、スロットマシンＳＭのモデルタイプを遊技者へ認識させる等のため、登場キャラクターの絵などを表示する表示パネルＤＰが設けられている。下部パネル部ＬＰの下側に配置される受皿ユニットＴＵには、入賞時等においてメダルを受皿部に排出するメダル払出口ＭＥＸと、スピーカを内蔵し演出効果音を発生させる演出用放音部ＳＡＢがそれぞれ配置されている。
【００２２】
次に、図２を参照し、スロットマシンＳＭの内部構造を説明する。図２は、前扉ＦＤを筐体ＭＢから開放した状態におけるスロットマシンＳＭの内部構造を表す正面図である。
【００２３】
まず、同図を参照し、筐体ＭＢ側の内部構造を説明する。筐体ＭＢ内の上部には、スロットマシンＳＭの全体動作を統括制御する主制御基板１００を収容する制御基板アッセンブリＭＢＡが取り付けられている。なお、主制御基板１００は、ＭＰＵ（Micro Processor Unit）、ＲＯＭ（Read Only Memory）、ＲＡＭ（Random Access Memory）、その他周辺機器と通信する制御信号の整合機能を有するインタフェース回路等の電子部品からなるマイコンをベースに形成された制御回路基板である。
【００２４】
筐体ＭＢ内の中央には、リールＲ１、Ｒ２、Ｒ３が回転軸方向に並べられたユニット構造のリールユニットＲＵが設けられている。リールユニットＲＵは、前扉ＦＤが筐体ＭＢ側に閉じられるとパネルユニットＰＵに形成された表示窓ＦＷにリールＲ１、Ｒ２、Ｒ３が対向するように、筐体ＭＢ内の所定の高さに固定されたフレームに位置決めされて取り付けられている。各リールＲ１、Ｒ２、Ｒ３は、それぞれの中心軸に連結するステッピングモータによって回転駆動される。リールユニットＲＵの上部には、各ステッピングモータへ４相の駆動パルス信号を送出する図示しない回胴装置基板が取り付けられており、主制御基板１００が回胴装置基板に回胴駆動（励磁）パルスデータを送出することで、各リールの回転と制動及び停止の制御を行っている。
【００２５】
リールユニットＲＵの下方には、メダル投入部ＭＤから投入されたメダルを貯留し、入賞の配当の際に排出口からメダルを排出するホッパ装置ＨＰＵと、ホッパ装置ＨＰＵから溢れたメダルを収容するための補助貯留部ＭＳＴと、スロットマシンＳＭに内蔵される各機器へ電力を配電する主電源装置ＰＷＵが設けられている。
【００２６】
次に、前扉ＦＤの裏面側の内部構造を説明する。前扉ＦＤの裏面上部には、上述の演出用放音部ＳＡＬ、ＳＡＲに対向してスピーカＳＰＬ、ＳＰＲが取り付けられている。また、スピーカＳＰＬ、ＳＰＲの間に配置されている図示しない液晶表示ユニットＦＰＤの裏面に、当該液晶表示ユニット、スピーカＳＰＬ、ＳＰＲ等を制御駆動するサブ制御基板ＳＢＡが取り付けられている。サブ制御基板ＳＢＡは、液晶表示ユニットＦＰＤによる演出映像の表示制御、上部ランプＵＬ及びサイドランプＳＬ等を使った照明制御、及び演出用放音部ＳＡＬ、ＳＡＲ、ＳＡＢを使った演出効果音制御など、ゲームの演出に係る制御を主に行うための制御回路基板である。
【００２７】
サブ制御基板ＳＢＡの下方には、前面にリールＲ１、Ｒ２、Ｒ３を目視させるための透明な表示窓ＦＷを有するパネルユニットＰＵが取り付けられる。パネルユニットＰＵの裏面側には、リールＲ１、Ｒ２、Ｒ３の外周面を照射して図柄を明るく表示させるための冷陰極蛍光ランプＣＦＬと、スタートレバーＳＴＬ及びストップボタンＳＴＰ１、ＳＴＰ２、ＳＴＰ３等の操作スイッチ類の出力信号を主制御基板１００へ転送する中継基板として機能する中央表示基板ＣＢＡとを備え、これらがユニット化されて形成されている。
【００２８】
パネルユニットＰＵの下方には、メダル選別装置ＭＳＵが取り付けられている。メダル選別装置ＭＳＵは、メダル投入部ＭＤに投入されたメダルの適否を判別し振り分ける装置である。また、メダル選別装置ＭＳＵに内蔵されるメダルセンサはメダル投入部ＭＤに投入された正規のメダルを検出し、その検出信号を主制御基板１００へ送出する。
【００２９】
メダル選別装置ＭＳＵの下方には、メダル選別装置ＭＳＵによって振り分けられた正規のメダルを筐体ＭＢ内に設けられているホッパ装置ＨＰＵへ案内するガイド部材Ｇ１と、メダル選別装置ＭＳＵにより排除されたメダル（または異物）をメダル排出口ＭＥＸへ案内するガイド部材Ｇ２が設けられている。また、前扉ＦＤの裏面側下部には、ホッパ装置ＨＰＵの排出口から排出されたメダルをメダル排出口ＭＥＸへ案内するガイド部材Ｇ３が設けられている。更に、メダル排出口ＭＥＸに隣接して、上述した演出用放音部ＳＡＢに対向するスピーカＳＰＢが取り付けられている。
【００３０】
なお、図２には示していないが、主制御基板１００は、両端にコネクタが設けられた所定長さのハーネス（以下、「コネクタ付きハーネス」という）を介して、上述のサブ制御基板ＳＢＡや回胴装置基板等の制御回路基板、中央表示基板ＣＢＡ等の中継基板、ホッパ装置ＨＰＵ等の電子機器ユニット、更に主電源装置ＰＷＵ等に対し、制御信号及び操作信号等の通信を可能に、また所要の電力が供給できるように電気的に接続されている。
【００３１】
かかる構成のスロットマシンＳＭは、次のように概略動作する。すなわち、スロットマシンＳＭは、先のゲームにおいて入賞しメダルの払い出しが完了した時、又は先のゲームにおいてハズレが確定すると待機状態となる。この待機状態において、遊技者がメダル投入部ＭＤにメダルを投入し、またベットボタンＢＥＴを押圧操作して内部に貯留したメダル（クレジット）から当該ゲームに規定枚数のメダルを賭けると、ゲーム開始の状態になる。
【００３２】
主制御基板１００は、ゲーム開始の状態で遊技者によるスタートレバーＳＴＬの傾倒操作を検知すると、３個のリールＲ１、Ｒ２、Ｒ３を一斉に回転させ始める。同時に入賞役を内部抽選し、その結果をフラグ（内部抽選フラグ）に記憶する。
【００３３】
次に、リールＲ１、Ｒ２、３が回転動作中に、ストップボタンＳＴＰ１、ＳＴＰ２、ＳＴＰ３の押圧操作を検知すると、主制御基板１００は、それに応じて順次各リールを停止させる制御を行う。そして、全てのリールＲ１、Ｒ２、Ｒ３の停止を検知することにより、各リールが表示する図柄と上述のフラグに対応する入賞役に係る図柄の組合せとが一致しているか否か判定する。
【００３４】
当選した入賞役に係る図柄が有効ラインに揃って表示され入賞が確定すると、当該入賞役の種類に応じて予め決められた配当数のメダルをクレジット数に加算するか、又はホッパ装置ＨＰＵを駆動して配当数のメダルを受皿ユニットＴＵの受皿部へ払い出す。
【００３５】
以上、本発明が適用される遊技機の例としてスロットマシンＳＭの概要を説明したが、次に、本発明に係るコネクタ接続構造が適用される実施例として、主制御基板１００を基板ケースに収容しアッセンブリ化した制御基板アッセンブリＭＢＡの構成について説明する。ここで、図３は、制御基板アッセンブリＭＢＡの分解斜視図であり、図４は、制御基板アッセンブリＭＢＡがブラケット部材ＢＲを介して筐体ＭＢに取り付けられる状態を表す斜視図である。
【００３６】
ここで、ブラケット部材ＢＲは、図３に示されるように、制御基板アッセンブリＭＢＡの背面に対向する平板部１０と、左縁ないし下縁にかけて前方へ立設するＬ字状のリブ部１１と、右縁において前方へ立設する支持台部１２と、支持台部１２から更に前方へ突起する支持突起部１３とを主に有して一体的に形成されている。リブ部１１の内方壁には係合凹部１１ａが上下２カ所に形成され、また平板部１０の右側縁には前方に延びる上下一対の係止アーム１４が形成されている。これら係合凹部１１ａと係止アーム１４によって制御基板アッセンブリＭＢＡ本体がブラケット部材ＢＲに保持される。支持台部１２の内方に隣接する平板部１０には、封止機構を構成する封止筒部１５が例えば４カ所形成されている。なお、当該ブラケット部材ＢＲは、平板部１０に形成される複数のネジ孔１０ａに挿入されたネジにより、筐体ＭＢの背板に結合固定される。
【００３７】
制御基板アッセンブリＭＢＡは、図３から明らかなように、主制御基板１００と、本体ケース２００と、上蓋ケース３００とを備え、また上蓋ケース３００と本体ケース２００とを結合する封止機構の接続媒体として接続部材８００を使用する。なお、この接続部材８００は、制御基板アッセンブリＭＢＡ本体とブラケット部材ＢＲ間の封止機構にも共通して用いられる。
【００３８】
主制御基板１００には、両面に銅（Ｃｕ）からなる導電性の配線パターンがプリント配線され、一方の面（前面）には、上述したＭＰＵ１０１、ＲＯＭ１０２、ＲＡＭ１０３等の電子部品が実装されて所定の制御回路が形成されている。また、主制御基板１００には、所定位置に、サブ制御基板ＳＢＡなどスロットマシンＳＭに内蔵される他の制御回路基板、及び電子機器と電気的に接続するための基板側コネクタ１１０、１２０、１３０が複数実装されている。
【００３９】
本体ケース２００は、前面側が開放する略矩形の箱体として透明なプラスチックで一体形成したものであり、その背板内側に小ネジを介して主制御基板１００が結合固定される。本体ケース２００の上側壁には、上蓋ケース３００とヒンジ結合するためのヒンジ軸部２０１が所定の間隔をおいて３カ所に形成されている。また、下側壁には、係止孔２０２ａを有し前方に延びる２本の係止アーム２０２と、上蓋ケース３００を結合して封止する封止機構を構成する封止筒部２０５が４カ所に形成されている。
【００４０】
上蓋ケース３００は、透明なプラスチックにより一体的に形成された略矩形の蓋体であり、上側壁に上記本体ケース２００のヒンジ軸部２０１と位置整合してヒンジ軸受部３０１が形成されている。また、本体ケース２００の封止筒部２０５と位置整合して封止キャップ部３０５、及び制御基板アッセンブリＭＢＡがブラケット部材ＢＲに取り付けられた状態でブラケット部材の封止筒部１５と位置整合する封止キャップ部３０６がそれぞれ形成されている。
【００４１】
また、上蓋ケース３００の右側部には、封止キャップ部３０６を囲んで延びる矩形枠部３０２と、上蓋ケース３００の左側壁に係合凸部３０３が上下２カ所に形成されている。
【００４２】
また、上蓋ケース３００には、上述の基板側コネクタ１１０、１２０、１３０と位置整合して、対応する当該基板側コネクタと略同形、同寸法に開口するコネクタ開口部３１０、３２０、３３０が形成されている。図４に示されるように、スロットマシンＳＭ内の他の制御回路基板または電子機器と電気的に接続するための、例えばコネクタ付きハーネス４００が、コネクタ開口部３１０を通して基板側コネクタ１１０に接続される。このとき、コネクタ付きハーネス４００のケーブル４２０を、閉塞部材５００に形成されたケーブル挿通孔５０２に挿通した状態でコネクタ４１０を基板側コネクタ１１０に接続した後、コネクタ開口部３１０を閉塞部材５００で閉塞する。かかるコネクタ接続構造の詳細については後述する。
【００４３】
本体ケース２００と上蓋ケース３００とはヒンジ軸部２０１とヒンジ軸受部３０１とが嵌め合わされ、互いに開閉揺動が可能に取り付けられる。そして、主制御基板１００を収容し上蓋ケース３００を閉じると、図４に示されるように、本体ケース２００側の係止アーム２０２の係止孔と上蓋ケース３００の下端に形成された係止突起３０４とが係合する。このとき、本体ケース２００と上蓋ケース３００とは、それぞれの周壁の端部同士が嵌合して密着する。
【００４４】
本体ケース２００に上蓋ケース３００を閉じただけでは係止アーム２０２がその弾性変形力により係止突起３０４と係合しているだけであり、これら係合状態を解除すれば、容易に上蓋ケース３００を開放できる状態にある。そこで、上蓋ケース３００を閉じる際に、本体ケース２００の封止筒部２０５と上蓋ケース３００の封止キャップ部３０５から構成される何れかの封止機構に接続部材８００を挿入して係合させることで、これらケース部材同士を結合する。このとき、接続部材８００は、封止筒部２０５と封止キャップ部３０５内に閉じこめられ内部で係合するため、外部からこの係合状態を解除することができなくなる。すなわち、いずれかの封止機構が結合されていると、その封止機構の封止キャップ部３０５を上蓋ケース３００本体から切り離さない限り、上蓋ケース３００を本体ケース２００から開放できない構造となっている。これにより、上蓋ケース３００の開放を困難にするとともに、開放すればその痕跡が残される。なお、かかる封止機構が結合された状態を、本明細書では「カシメ状態」と呼んでいる。
【００４５】
次に、本発明に係るコネクタ接続構造の実施例として、基板側コネクタ１１０に対しコネクタ開口部３１０を通してハーネス４００のコネクタ４１０を接続するコネクタ接続構造の詳細を説明する。ここで、図５は、図４に示したＹＺ面を切断面とし、コネクタ付きハーネス４００が接続される基板側コネクタ１１０及びその周辺部分の構造を表す断面図である。また、図６は、ＹＸ面を切断面とする基板側コネクタ１１０及びその周辺部分の構造を表す断面図であり、同図（ａ）は、コネクタ付きハーネス４００を接続する前の状態を表し、同図（ｂ）は、コネクタ付きハーネス４００を基板側コネクタ１１０に接続した後の状態を表している。
【００４６】
これらの図を参照し、閉塞部材５００は、コネクタ開口部３１０を閉塞し得る平板部５０１と、コネクタ開口部３１０を臨む側（図面上ではＹ方向）に当該コネクタ開口部３１０に遊嵌する矩形枠状の嵌合枠部５０５と、嵌合枠部５０５の側面で外方へ突起する例えば４カ所の係止部５０３ａ（図５には係止部５０３ａ、５０４ａを、図６には係止部５０３ａ、５０３ｂを示している）とを有して一体的に形成されている。
【００４７】
閉塞部材５００の平板部５０１は、コネクタ開口部３１０よりも若干大きく相似する寸法形状を有しており、その略中央には、コネクタ付きハーネス４００のケーブル４２０を挿通し得るように当該ケーブルとほぼ同径のケーブル挿通孔５０２が形成されている。嵌合枠部５０５は、コネクタ開口部３１０よりも若干小さく近似する寸法形状の外郭を有し、その内側が空間となっている。
【００４８】
一対の各係止部５０３ａ、５０３ｂは、基端側（コネクタ開口部３１０側）の一辺を残し、他辺がコの字状の溝により嵌合枠部５０５本体から切り離されて形成されている。これにより、各係止部５０３ａ、５０３ｂは、一定の制限範囲内で平板部５０１に沿う内側方向に弾性的に偏移可能となっている。また、各係止部５０３ａ、５０３ｂは、各基端側から平板部５０１に向かって外側に厚みを増す外側傾斜面と、平板部５０１に対向する係止面５０３ａａ、５０３ｂａとを有している。係止面５０３ａａ、５０３ｂａと平板部５０１とは、上蓋ケース３００の厚み相当分だけ離間している。これにより、各係止部５０３ａ、５０３ｂは、それぞれ相反する外方に突起する鉤（かぎ）爪形状に形成されている（図４の円内に示す拡大図を参照）。
【００４９】
なお、一対の係止部５０３ａ、５０３ｂは、嵌合枠部５０５の対向側面に形成されているため、コネクタ開口部３１０の図中Ｘ方向の幅相当だけ互いに離間して配置されることとなる。また、本実施例では、例えば図５に示されるように、かかる形状の係止部のペアが閉塞部材５００の長手方向の２カ所に設けられている。
【００５０】
コネクタ付きハーネス４００の基板側コネクタ１１０への接続は、次に示す手順で行う。ここで、基板側コネクタ１１０は、図６に示されるように、所定数のソケット端子１１１が配列された、例えばソケットタイプのコネクタであり、一方、ハーネス側のコネクタ４１０は、前述のソケット端子１１１に対応するピンプラグ端子４１１を配設する、例えばプラグタイプのコネクタである。
【００５１】
図６（ａ）に示されるように、閉塞部材５００に形成されたケーブル挿通孔５０２にコネクタ付きハーネス４００のケーブル４２０を挿通し、この状態でコネクタ４１０をコネクタ開口部３１０に挿入して基板側コネクタ１１０に接続する。このとき、基板側コネクタ１１０のソケット端子１１１とハーネス側のコネクタ４１０のピン端子とがコンタクトする。
【００５２】
更に、閉塞部材５００の嵌合枠部５０５をコネクタ開口部３１０内に押圧挿入すると、各係止部５０３ａ、５０３ｂの外側傾斜面が当該開口の縁に当接しながら内側に弾性偏移する。そして、平板部５０１で当該開口を塞ぐ状態では、図６（ｂ）に示されるように、各係止部５０３ａ、５０３ｂが元の位置に戻り、当該開口周縁の内面（裏面）に当該各係止部の係止面（鉤爪部分）が係止して、いわゆる「嵌め殺し状態」で閉塞する。ここで、「嵌め殺し状態」とは、ケース部材の内側で係合する構造上、一旦、嵌合等すると外部からの操作によっては解除できない係合状態にあることをいう。
【００５３】
このように、コネクタ付きハーネス４００のケーブル４２０を閉塞部材５００のケーブル挿通孔５０２に挿通しコネクタ４１０を基板側コネクタ１１０に接続した後、当該閉塞部材５００により、コネクタ開口部３１０を嵌め殺し状態で閉塞する。かかる閉塞部材５００を設けることにより、本体ケース２００、上蓋ケース３００、及び主制御基板１００との間で製造上生じていた、基板側コネクタ１１０、１２０、１３０と、コネクタ開口部３１０、３２０、３３０との間の隙間を無くすことができ、当該隙間から針金などを内部に侵入させる等の主制御基板１００に対する不正なアクセスを確実に防止することができる。また、かかる不正アクセス防止機能を、簡素化した基板ケース及びコネクタ接続構造で実現することができる。
【００５４】
なお、本発明によるコネクタ開口部（３１０）を閉塞する閉塞部材５００は、図７に示される形状を有するものであってもよい。この実施形態の閉塞部材５００は、コネクタ付きハーネス（４００）のケーブル（４２０）を挿通するためのケーブル挿通孔５０２が形成された平板部５０１と、コネクタ開口部（３１０）を閉塞する際に、その開口部に臨む平板部５０１の面側に、係止部５０６ａ、５０６ｂ、５０７ａ、５０７ｂが形成されている。
【００５５】
一対の係止部５０６ａ、５０６ｂは、平板部５０１側のそれぞれの基端部が、コネクタ開口部（３１０）の一方向（Ｘ方向）の開口幅相当で離間して形成され、平板部５０１に沿う内側方向に弾性的に偏移可能となっている。また、各係止部５０６ａ、５０６ｂは、端側から平板部５０１に向かって外側に厚みを増す外側傾斜面と、平板部５０１に対向する係止面５０６ａａとを有している。係止面５０６ａａと平板部５０１とは、上蓋ケース３００の厚み相当分だけ離間している。これにより、各係止部５０６ａ、５０６ｂは、それぞれ相反する外方に突起する鉤爪形状に形成されている。
【００５６】
なお、平板部５０１の長手方向（Ｚ方向）にその位置を異にして設けられている他の係止部のペア（５０７ａ、５０７ｂ）は、上述したペア（５０６ａ、５０６ｂ）と同一の形状、及び同一間隔で平板部５０１に形成されている。
【００５７】
かかる形状の閉塞部材５００によれば、平板部５０１に形成されたケーブル挿通孔５０２にコネクタ付きハーネス（４００）のケーブル（４２０）を挿通し、この状態でハーネス側のコネクタ（４１０）をコネクタ開口部（３１０）に挿入して基板側コネクタ（１１０）に接続する。そして、閉塞部材５００の係止部５０６ａ、５０６ｂ、５０７ａ、５０７ｂをコネクタ開口部（３１０）内に押圧挿入すると、各係止部の外側傾斜面が当該開口の縁に当接しながら内側に弾性偏移し、コネクタ開口周縁の内面（裏面）に当該各係止部の係止面（鉤爪部分）が係止する。これにより、当該コネクタ開口部を嵌め殺し状態で閉塞する。
【００５８】
以上説明したように、本実施形態のコネクタ接続構造によれば、コネクタ付きハーネスを基板側コネクタに接続した後、閉塞部材５００により、コネクタ開口部を嵌め殺し状態で閉塞する。したがって、本体ケース２００、上蓋ケース３００、及び主制御基板１００との間で製造上生じていた、基板側コネクタと、コネクタ開口部との隙間を無くすことができる。また、閉塞部材５００は、嵌め殺し状態でコネクタ開口部（３１０）を閉塞するため、外部から閉塞部材を開放することはできない。これらのことから、コネクタ開口部の隙間を介して針金などを基板ケース内に侵入させる等の主制御基板１００に対する不正なアクセスを確実に防止することができる。また、かかる不正アクセス防止機能を、簡素化した構造で実現することができる。
【００５９】
なお、本発明に係る制御基板アッセンブリの実施形態をスロットマシンの主制御基板を例に説明したが、サブ制御基板等のその他の制御基板を収容する制御基板アッセンブリに適用してもよい。また、本発明は、スロットマシンのみならず、パチンコ機その他の遊技機にも適用が可能である。
【図面の簡単な説明】
【００６０】
【図１】図１は、スロットマシンの外観構造を表す正面図である。
【図２】図２は、前扉を開いた状態でのスロットマシン筐体内部の構造を表す図である。
【図３】図３は、本発明の一実施形態による制御基板アッセンブリの分解斜視図である。
【図４】図４は、本発明の一実施形態による制御基板アッセンブリがブラケット部材を介してスロットマシンの筐体に取り付けられる状態を表す斜視図である。
【図５】図５は、図４に示したＹＺ面を切断面とする、コネクタ付きハーネスが接続される制御基板アッセンブリの基板側コネクタ及びその周辺部分の構造を表す断面図である。
【図６】図６は、コネクタ付きハーネスを接続する前後の状態を表す、基板側コネクタ及びその周辺部分の断面図である。
【図７】図７は、他の実施形態による閉塞部材の外観形状を表す斜視図である。
【符号の説明】
【００６１】
ＳＭ…スロットマシン、
ＦＤ…前扉、  ＵＰ…上部パネル部、  ＬＰ…下部パネル部、
ＴＵ…受皿ユニット、  ＵＬ…上部ランプ、  ＳＬ…サイドランプ、
ＳＡＬ、ＳＡＲ、ＳＡＢ…演出用放音部、  ＦＰＤ…液晶表示ユニット、
ＰＵ…パネルユニット、  ＦＷ…表示窓、
ＲＵ…リールユニット、  Ｒ１、Ｒ２、Ｒ３…リール、
ＯＰ…操作卓、  ＭＤ…メダル投入部、  ＢＥＴ…ベットボタン、
ＳＴＬ…スタートレバー、
ＳＴＰ１、ＳＴＰ２、ＳＴＰ３…ストップボタン、
ＭＥＸ…メダル払出口、
ＭＢ…筐体、
ＭＢＡ…制御基板アッセンブリ、
ＨＰＵ…ホッパ装置、  ＭＳＴ…補助貯留部ＭＳＴ、  ＰＷＵ…主電源装置、
ＳＢＡ…サブ制御基板、  ＭＳＵ…メダル選別装置、  ＣＢＡ…中央表示基板、
ＣＦＬ…冷陰極蛍光ランプ、  Ｇ１、Ｇ２、Ｇ３…ガイド部材、
ＢＲ…ブラケット部材、
１０…平板部、  １０ａ…ネジ孔、
１１…リブ部、  １１ａ…係合凹部、
１２…支持台部、  １３…支持突起部、
１４…係止アーム、  １４ａ…係止突起、  １５…封止筒部、
１００…主制御基板、
１０１…ＭＰＵ、  １０２…ＲＯＭ、  １０３…ＲＡＭ、
１１０…基板側コネクタ、  １１１…ソケット端子、
１２０、１３０…基板側コネクタ、
２００…本体ケース、
２０１…ヒンジ軸部、  ２０２…係止アーム、  ２０２ａ…係止孔、
２０５…封止筒部、
３００…上蓋ケース、
３０１…ヒンジ軸受部、  ３０２…矩形枠部、  ３０３…係合凸部、
３０４…係止突起、  ３０５、３０６…封止キャップ部、
３１０、３２０、３３０…コネクタ開口部、
４００…コネクタ付きハーネス、
４１０…コネクタ、  ４１１…ピンプラグ端子、
４２０…ケーブル、
５００…閉塞部材、
５０１…平板部、  ５０２…ケーブル挿通孔、
５０３ａ、５０３ｂ…係止部、  ５０３ａａ、５０３ｂａ…係止面、
５０４ａ…係止部、  ５０５…嵌合枠部、
５０６ａ…係止部、５０６ａａ…係止面、
５０６ｂ、５０７ａ、５０７ｂ…係止部、
８００…接続部材
【図１】
2006158850.tif 000003
【図２】
2006158850.tif 000004
【図３】
2006158850.tif 000005
【図４】
2006158850.tif 000006
【図５】
2006158850.tif 000007
【図６】
2006158850.tif 000008
【図７】
2006158850.tif 000009